(57)【要約】【課題】  購入者のそれぞれの嗜好にあわせて、購入意欲を高め、広告効果の高い情報を表示することができる自動販売機を提供する。【解決手段】  ディスプレイ駆動部３１は、第２制御部３０からの画像データ、文字データ及び制御信号に基づいてディスプレイ４を駆動して画像出力を行い、音声出力部３２は、第２制御部３０からの音声データ及び制御信号に基づいてスピーカ５を駆動して音声出力を行う。ＩＣチップリーダ１０は、ＩＣチップＡに記憶されたＩＣチップ情報を読取り第２制御部３０に送出する。モデム３３は、通信回線３５、通信アンテナ３６等により第２制御部３０からの制御信号に基づいて外部からデータを受信し、第２制御部３０に送出する。記憶装置３４は、複数の部品データを記憶し、第２制御部３０の制御信号に基づいてモデム３３によって受信したデータを記憶し、又は記憶しているデータを第２制御部３０へ送出する。【選択図】図２
2006065564.tif 000002
【特許請求の範囲】
【請求項１】
販売可能な商品の情報を含む所定の情報を表示手段によって表示する自動販売機であって、
前記所定の情報を表示する要素となる複数の部品データを記憶する記憶手段と、
前記複数の部品データの所定の組合せを示す表示構成データを含むＩＣチップ情報を外部のＩＣチップから読取る読取手段と、
前記表示構成データに基づいて前記複数の部品データを組み合わせたデータを作成するデータ作成手段とを備え、
前記表示手段は前記データ作成手段が作成したデータに基づいて表示を行う手段を有する
ことを特徴とする自動販売機。
【請求項２】
前記複数の部品データを記憶する第２記憶手段を有するサーバとネットワークを介して接続する通信手段を備え、
前記データ作成手段は、
前記表示構成データに基づいて前記通信手段によって受信する前記複数の部品データを組み合わせたデータを作成する手段を有する
ことを特徴とする請求項１に記載の自動販売機。
【請求項３】
前記通信手段によって所定間隔ごとに受信する前記複数の部品データを前記記憶手段に書き込む書込手段を備え、
前記データ作成手段は、
前記表示構成データに基づいて前記記憶手段に書き込まれた前記複数の部品データを組み合わせたデータを作成する手段を有する
ことを特徴とする請求項２に記載の自動販売機。
【請求項４】
前記表示構成データは、
前記サーバにネットワークを介して接続した端末によって前記第２記憶手段が記憶する前記複数の部品データを組み合わせて作成され、前記端末のＩＣチップ書込手段によって前記ＩＣチップに書き込まれたものであり、
前記読取手段は、
該表示構成データを含むＩＣチップ情報を外部の該ＩＣチップから読取る手段を有する
ことを特徴とする請求項２又は３に記載の自動販売機。
【請求項５】
前記読取手段によって読取られるＩＣチップ情報は表示構成データ以外のデータを含み、
前記データ作成手段は、
該ＩＣチップ情報に基づいて前記複数の部品データを組み合わせたデータを作成する手段を有する
ことを特徴とする請求項１乃至４に記載の自動販売機。
【請求項６】
前記読取手段は、非接触式ＩＣチップリーダ又は接触式ＩＣチップリーダのうち少なくとも一方を備える
ことを特徴とする請求項１乃至５に記載の自動販売機。
【請求項７】
前記複数の部品データは、静止画、動画、文字のうち少なくとも何れか１つを含む
ことを特徴とする請求項１乃至６に記載の自動販売機。
【請求項８】
前記複数の部品データは音声を含み、
前記データ作成手段が作成したデータに基づいて音声を出力する音声出力手段を備える
ことを特徴とする請求項１乃至７に記載の自動販売機。
【請求項９】
販売可能な商品の情報を含む所定の情報を表示手段によって表示する自動販売機であって、
前記所定の情報を表示する要素となる複数の部品データを記憶する記憶手段と、
ＩＣチップごとに一意となるＩＣチップ識別データを含むＩＣチップ情報を外部のＩＣチップから読取る読取手段と、
前記ＩＣチップ識別データごとに前記複数の部品データの所定の組合せを示す表示構成データを記憶する第２記憶手段を有するサーバにネットワークを介して接続する通信手段と、
該通信手段によって受信する前記表示構成データに基づいて前記複数の部品データを組み合わせたデータを作成するデータ作成手段とを備え、
前記表示手段は前記データ作成手段が作成したデータに基づいて表示を行う手段を有する
ことを特徴とする自動販売機。
【請求項１０】
前記通信手段によって所定間隔ごとに受信する前記表示構成データを前記記憶手段に書き込む書込手段を備え、
前記データ作成手段は、
前記記憶手段に書き込まれた前記表示構成データに基づいて前記複数の部品データを組み合わせたデータを作成する手段を有する
ことを特徴とする請求項９に記載の自動販売機。
【請求項１１】
前記第２記憶手段は前記複数の部品データを記憶する手段を有し、
前記データ作成手段は、
前記表示構成データに基づいて前記通信手段によって受信する前記複数の部品データを組み合わせたデータを作成する手段を有する
ことを特徴とする請求項９又は１０に記載の自動販売機。
【請求項１２】
前記通信手段によって所定間隔ごとに受信する前記複数の部品表示データを前記記憶手段に書き込む第２書込手段を備え、
前記データ作成手段は、
前記表示構成データに基づいて前記記憶手段に書き込まれた前記複数の部品データを組み合わせたデータを作成する手段を有する
ことを特徴とする請求項９又は１０に記載の自動販売機。
【請求項１３】
前記第２記憶手段に記憶されているデータは、
前記サーバにネットワークを介して接続した端末によって前記表示構成データが作成されて、前記端末のＩＣチップ読取手段によって読取られた前記ＩＣチップ識別データとともに前記第２記憶手段に書き込まれたものであり、
前記データ作成手段は、
前記通信手段によって受信する該表示構成データに基づいて前記複数の部品データを組み合わせたデータを作成する
ことを特徴とする請求項９乃至１２に記載の自動販売機。
【請求項１４】
前記読取手段によって読取られるＩＣチップ情報は表示構成データ以外のデータを含み、
前記データ作成手段は、
該ＩＣチップ情報に基づいて前記複数の部品データを組み合わせたデータを作成する手段とを有する
ことを特徴とする請求項９乃至１３に記載の自動販売機。
【請求項１５】
前記読取手段は、非接触式ＩＣチップリーダ又は接触式ＩＣチップリーダのうち少なくとも一方を備える
ことを特徴とする請求項９乃至１４に記載の自動販売機。
【請求項１６】
前記複数の部品データは、静止画、動画、文字のうち少なくとも何れか１つを含む
ことを特徴とする請求項９乃至１５に記載の自動販売機。
【請求項１７】
前記複数の部品データは音声を含み、
前記データ作成手段が作成したデータに基づいて音声を出力する音声出力手段を備える
ことを特徴とする請求項９乃至１６に記載の自動販売機。
【発明の詳細な説明】
【技術分野】
【０００１】
本発明は、販売可能な商品の情報を含む所定の情報を表示する自動販売機に関するものである。
【背景技術】
【０００２】
従来、この種の自動販売機としては、Ｗｅｂサーバを利用して外部の任意のパソコン等から自動販売機に設けられる表示装置の表示データの設定／登録を行い、所望のデータを表示させるようにしたものが知られている（例えば特許文献１参照。）。
【０００３】
また、広告出力機能を有する自動販売機において、広告対象となる地域、商品等の属性に基づいて広告情報を出力するようにしたものが知られている（例えば特許文献２参照。）。
【特許文献１】特開２０００−１４９１１８号公報
【特許文献２】特開２００３−１３２２６４号公報
【発明の開示】
【発明が解決しようとする課題】
【０００４】
しかしながら、従来の自動販売機は、販売者や広告主が考える多くの購入者を対象とした最大公約数的な意見に基づき表示する内容を決定していたため、一人一人の購入者にとって必ずしも購入意欲を高め、広告効果の高い、表示をしていないという問題点があった。
【０００５】
本発明は前記問題点に鑑みてなされたものであり、その目的とするところは、購入者のそれぞれの嗜好にあわせて、購入意欲を高め、広告効果の高い情報を表示することができる自動販売機を提供することにある。
【課題を解決するための手段】
【０００６】
本発明は前記目的を達成するために、販売可能な商品の情報を含む所定の情報を表示手段によって表示する自動販売機であって、前記所定の情報を表示する要素となる複数の部品データを記憶する記憶手段と、前記複数の部品データの所定の組合せを示す表示構成データを含むＩＣチップ情報を外部のＩＣチップから読取る読取手段と、前記表示構成データに基づいて前記複数の部品データを組み合わせたデータを作成するデータ作成手段とを備え、前記表示手段は前記データ作成手段が作成したデータに基づいて表示を行う手段を有する自動販売機を提案する。
【０００７】
上記構成よりなる自動販売機によれば、所定の情報を表示する要素となる複数の部品データの所定の組合せを示す表示構成データを含むＩＣチップ情報が外部のＩＣチップから読み取られ、前記表示構成データに基づいて前記複数の部品データを組み合わせたデータが作成され、作成されたデータに基づいて販売可能な商品の情報を含む所定の情報の表示が行われる。従って、表示構成データごとに販売可能な商品に関する情報の表示を変えることができる。
【０００８】
また、本発明は、上記構成の自動販売機において、前記複数の部品データを記憶する第２記憶手段を有するサーバとネットワークを介して接続する通信手段を備え、前記データ作成手段は、前記表示構成データに基づいて前記通信手段によって受信する前記複数の部品データを組み合わせたデータを作成する手段を有する自動販売機を提案する。
【０００９】
上記構成よりなる自動販売機によれば、前記複数の部品データを記憶する第２記憶手段を有するサーバとネットワークを介して接続され、前記表示構成データに基づいて受信する前記複数の部品データを組み合わせたデータが作成される。従って、サーバが記憶する複数の部品データに基づいて販売可能な商品に関する情報を表示することができる。
【００１０】
また、本発明は、上記構成の自動販売機において、前記通信手段によって所定間隔ごとに受信する前記複数の部品データを前記記憶手段に書き込む書込手段を備え、前記データ作成手段は、前記表示構成データに基づいて前記記憶手段に書き込まれた前記複数の部品データを組み合わせたデータを作成する手段を有する自動販売機を提案する。
【００１１】
上記構成よりなる自動販売機によれば、所定間隔ごと受信する前記複数の部品データが記憶され、前記表示構成データに基づいて記憶された前記複数の部品データを組み合わせたデータが作成される。従って、所定間隔ごとに記憶手段に記憶している部品データをサーバが記憶する部品データに変更し、変更した部品データに基づいて販売可能な商品に関する情報を表示することができる。
【００１２】
また、本発明は、上記構成の自動販売機において、前記表示構成データは、前記サーバにネットワークを介して接続した端末によって前記第２記憶手段が記憶する前記複数の部品データを組み合わせて作成され、前記端末のＩＣチップ書込手段によって前記ＩＣチップに書き込まれたものであり、前記読取手段は、該表示構成データを含むＩＣチップ情報を外部の該ＩＣチップから読取る手段を有する自動販売機を提案する。
【００１３】
上記構成よりなる自動販売機によれば、前記サーバにネットワークを介して接続した端末によって、前記第２記憶手段が記憶する前記複数の部品データを組み合わせて前記表示構成データが作成され、前記端末のＩＣチップ書込手段によって前記ＩＣチップに書き込まれた表示構成データを含むＩＣチップ情報が読取られる。従って、ＩＣチップ情報に含まれる表示構成データを変更することができ、変更した表示構成データごとに販売可能な商品に関する情報の表示を変えることができる。
【００１４】
また、本発明は、上記構成の自動販売機において、前記読取手段によって読取られるＩＣチップ情報は表示構成データ以外のデータを含み、前記データ作成手段は、該ＩＣチップ情報に基づいて前記複数の部品データを組み合わせたデータを作成する手段を有する自動販売機を提案する。
【００１５】
上記構成よりなる自動販売機によれば、表示構成データ以外のデータを含むＩＣチップ情報に基づいて前記複数の部品データを組み合わせたデータが作成される。従って、ＩＣチップ情報ごとに販売可能な商品に関する情報の表示を変えることができる。
【００１６】
また、本発明は、上記構成の自動販売機において、前記読取手段は、非接触式ＩＣチップリーダ又は接触式ＩＣチップリーダのうち少なくとも一方を備える自動販売機を提案する。
【００１７】
上記構成よりなる自動販売機によれば、非接触式ＩＣチップリーダ又は接触式ＩＣチップリーダのうち少なくとも一方が備わっている。従って、非接触式ＩＣチップ又は接触式ＩＣチップのうち少なくとも一方のＩＣチップ情報を読取ることができる。
【００１８】
また、本発明は、上記構成の自動販売機において、前記複数の部品データは、静止画、動画、文字のうち少なくとも何れか１つを含む自動販売機を提案する。
【００１９】
上記構成よりなる自動販売機によれば、前記複数の部品データは、静止画、動画、文字のうち少なくとも何れか１つが含まれる。従って、部品データに基づいて販売可能な商品に関する情報の表示を行うことができる。
【００２０】
また、本発明は、上記構成の自動販売機において、前記複数の部品データは音声を含み、前記データ作成手段が作成したデータに基づいて音声を出力する音声出力手段を備える自動販売機を提案する。
【００２１】
上記構成よりなる自動販売機によれば、前記複数の部品データは音声が含まれ、
作成したデータに基づいて音声が出力される。従って、部品データに基づいて販売可能な商品に関する音声を出力することができる。
【００２２】
また、本発明は前記目的を達成するために、販売可能な商品の情報を含む所定の情報を表示手段によって表示する自動販売機であって、前記所定の情報を表示する要素となる複数の部品データを記憶する記憶手段と、ＩＣチップごとに一意となるＩＣチップ識別データを含むＩＣチップ情報を外部のＩＣチップから読取る読取手段と、前記ＩＣチップ識別データごとに前記複数の部品データの所定の組合せを示す表示構成データを記憶する第２記憶手段を有するサーバにネットワークを介して接続する通信手段と、該通信手段によって受信する前記表示構成データに基づいて前記複数の部品データを組み合わせたデータを作成するデータ作成手段とを備え、前記表示手段は前記データ作成手段が作成したデータに基づいて表示を行う手段を有する自動販売機を提案する。
【００２３】
上記構成よりなる自動販売機によれば、ＩＣチップごとに一意となるＩＣチップ識別データを含むＩＣチップ情報が外部のＩＣチップから読み取られ、前記ＩＣチップ識別データごとに所定の情報を表示する要素となる複数の部品データの所定の組合せを示す表示構成データを記憶する第２記憶手段を有するサーバにネットワークを介して接続される。さらに、受信する前記表示構成データに基づいて前記複数の部品データを組み合わせたデータが作成され、作成されたデータに基づいて販売可能な商品の情報を含む所定の情報の表示が行われる。従って、表示構成データごとに販売可能な商品に関する情報の表示を変えることができる。
【００２４】
また、本発明は、上記構成の自動販売機において、前記通信手段によって所定間隔ごとに受信する前記表示構成データを前記記憶手段に書き込む書込手段を備え、前記データ作成手段は、前記記憶手段に書き込まれた前記表示構成データに基づいて前記複数の部品データを組み合わせたデータを作成する手段を有する自動販売機を提案する。
【００２５】
上記構成よりなる自動販売機によれば、所定間隔ごとに受信する前記表示構成データが記憶され、記憶された表示構成データに基づいて前記複数の部品データを組み合わせたデータが作成される。従って、所定間隔ごとにサーバが記憶する表示構成データに変更し、変更した表示構成データごとに販売可能な商品に関する情報の表示を変えることができる。
【００２６】
また、本発明は、上記構成の自動販売機において、前記第２記憶手段は前記複数の部品データを記憶する手段を有し、前記データ作成手段は、前記表示構成データに基づいて前記通信手段によって受信する前記複数の部品データを組み合わせたデータを作成する手段を有する自動販売機を提案する。
【００２７】
上記構成よりなる自動販売機によれば、前記表示構成データに基づいて受信する前記複数の部品データを組み合わせたデータが作成される。従って、サーバが記憶する複数の部品データに基づいて販売可能な商品に関する情報を表示することができる。
【００２８】
また、本発明は、上記構成の自動販売機において、前記通信手段によって所定間隔ごとに受信する前記複数の部品表示データを前記記憶手段に書き込む第２書込手段を備え、前記データ作成手段は、前記表示構成データに基づいて前記記憶手段に書き込まれた前記複数の部品データを組み合わせたデータを作成する手段を有する自動販売機を提案する。
【００２９】
上記構成よりなる自動販売機によれば、所定間隔ごとに受信する前記複数の部品データが記憶され、前記表示構成データに基づいて記憶された前記複数の部品データを組み合わせたデータが作成される。従って、所定間隔ごとに記憶手段に記憶している部品データをサーバが記憶する部品データに変更し、変更した部品データに基づいて販売可能な商品に関する情報を表示することができる。
【００３０】
また、本発明は、上記構成の自動販売機において、前記第２記憶手段に記憶されているデータは、前記サーバにネットワークを介して接続した端末によって前記表示構成データが作成されて、前記端末のＩＣチップ読取手段によって読取られた前記ＩＣチップ識別データとともに前記第２記憶手段に書き込まれたものであり、前記データ作成手段は、前記通信手段によって受信する該表示構成データに基づいて前記複数の部品データを組み合わせたデータを作成する自動販売機を提案する。
【００３１】
上記構成よりなる自動販売機によれば、前記サーバにネットワークを介して接続した端末によって、前記表示構成データが作成され、前記端末のＩＣチップ読取手段に読取られた前記ＩＣチップ識別データとともに前記第２記憶手段に書き込まれた表示構成データが受信され、該表示構成データに基づいて前記複数の部品データを組み合わせたデータが作成される。従って、サーバに記憶される表示構成データを変更することができる。
【００３２】
また、本発明は、前記読取手段によって読取られるＩＣチップ情報は表示構成データ以外のデータを含み、前記データ作成手段は、該ＩＣチップ情報に基づいて前記複数の部品データを組み合わせたデータを作成する手段とを有する自動販売機を提案する。
【００３３】
上記構成よりなる自動販売機によれば、表示構成データ以外のデータを含むＩＣチップ情報に基づいて前記複数の部品データを組み合わせたデータが作成される。従って、ＩＣチップ情報ごとに販売可能な商品に関する情報の表示を変えることができる。
【００３４】
また、本発明は、上記構成の自動販売機において、前記読取手段は、非接触式ＩＣチップリーダ又は接触式ＩＣチップリーダのうち少なくとも一方を備える自動販売機を提案する。
【００３５】
上記構成よりなる自動販売機によれば、非接触式ＩＣチップリーダ又は接触式ＩＣチップリーダのうち少なくとも一方が備わっている。従って、非接触式ＩＣチップ又は接触式ＩＣチップのうち少なくとも一方のＩＣチップ情報を読取ることができる。
【００３６】
また、本発明は、上記構成の自動販売機において、前記複数の部品データは、静止画、動画、文字のうち少なくとも何れか１つを含む自動販売機を提案する。
【００３７】
上記構成よりなる自動販売機によれば、前記複数の部品データは、静止画、動画、文字のうち少なくとも何れか１つが含まれる。従って、部品データに基づいて販売可能な商品に関する情報の表示を行うことができる。
【００３８】
また、本発明は、上記構成の自動販売機において、前記複数の部品データは音声を含み、前記データ作成手段が作成したデータに基づいて音声を出力する音声出力手段を備える自動販売機を提案する。
【００３９】
上記構成よりなる自動販売機によれば、前記複数の部品データは音声が含まれ、
作成したデータに基づいて音声が出力される。従って、部品データに基づいて販売可能な商品に関する音声を出力することができる。
【発明の効果】
【００４０】
本発明の自動販売機によれば、外部のＩＣチップのＩＣチップ情報含まれる表示構成データに基づいて複数の部品データを組み合わせることにより、表示構成データごとに販売可能な商品に関する情報の表示を変えることができ、ＩＣチップを所有する購入者のそれぞれの嗜好にあわせて、購入意欲を高め、広告効果の高い情報を表示することが可能となる。
【００４１】
また、ネットワークを介してサーバが記憶する複数の部品データを受信し、ＩＣチップ情報に表示構成データを書き込むことにより、サーバが記憶する部品データに基づくタイムリーな情報を表示することができるとともに、変更した表示構成データごとに販売可能な商品に関する情報の表示を変えることができ、変更した表示構成データに基づく購入者のそれぞれの嗜好の変化を反映させた表示をすることが可能となる。
【００４２】
さらに、ＩＣチップ情報に基づいて複数の部品データを組み合わせることにより、ＩＣチップ情報ごとに販売可能な商品に関する情報の表示を変えることができ、購入者のそれぞれの無意識な嗜好を反映させた表示をすることが可能となる。
【００４３】
本発明の前記目的とそれ以外の目的、構成特徴、作用効果は、以下の説明と添付図面によって明らかとなる。
【発明を実施するための最良の形態】
【００４４】
図１乃至図５は本発明の一実施形態を示すもので、図１は本発明の第１実施形態における自動販売機の正面図、図２は図１に示した自動販売機の制御系構成を示すブロック図、図３は本発明の第１実施形態におけるネットワークを介するデータ送受信を示す機能ブロック図、図４は本発明の第１実施形態における表示構成データを説明する図、図５は図１に示した自動販売機の商品表示の流れを示すフローチャートである。
【００４５】
まず、図１を参照して自動販売機１の構造を説明する。
【００４６】
外扉２は自動販売機１の前面に開閉自在に設けられており、この外扉２の表面上部には化粧パネル３が設けられている。この化粧パネル３は商品名や商品メーカ名等を文字で表示するための広告部３ａと、ディスプレイ４の表示面を露出するための窓穴３ｂと、左右のスピーカ５を有している。
【００４７】
ディスプレイ４は静止画、動画、文字等を表示するためのもので、その表示面が窓穴３ｂから露出するように化粧パネル３の内側に配置されている。なお、ディスプレイ４は例えば液晶ディスプレイであり、同様の表示を可能としたものであれば、周知のＣＲＴ（Ｃａｔｈｏｄｅ  Ｒａｙ  Ｔｕｂｅ）ディスプレイやＰＤＰ（Ｐｌａｓｍａ  Ｄｉｓｐｌａｙ  Ｐａｎｅｌ）や有機ＥＬ（Ｅｌｅｃｔｒｏ  Ｌｕｍｉｎｅｓｃｅｎｃｅ）ディスプレイ等であってもよい。
【００４８】
スピーカ５は音声等を出力するためのもので、ディスプレイ４の下方両側に配置されている。なお、スピーカ５はステレオ方式等による立体的な音響効果を得るため２個以上設けることが好ましいが、１個であってもよい。
【００４９】
また、外扉２の前面中央には、ロック操作レバー６、硬貨投入口７、返却レバー８、紙幣投入口９、ＩＣチップリーダ１０が設けられている。
【００５０】
ロック操作レバー６は外扉２内に設けられたロック機構（図示せず）を動作させるためのもので、専用キーによって使用可能な状態となる。
【００５１】
ＩＣチップリーダ１０は外部のＩＣチップＡ、例えば非接触ＩＣカードや非接触ＩＣチップ搭載型携帯電話のＩＣチップ、に記憶された情報を読取るためのものである。なお、ＩＣチップリーダ１０は非接触式のものに限らず、接触式のものや非接触式と接触式の両方を備えたものであってもよく、また、ＩＣチップリーダ／ライタであってもよい。
【００５２】
また、外扉の表面下部には、硬貨返却口１１、商品取出口１２が設けられており、商品取出口１２には、手動により開放可能なフラップドア１３が設けられている。
【００５３】
次に、図２を参照して図１に示した自動販売機１の制御系構成について説明する。
【００５４】
第１制御部２０は商品の温調及び搬出等を主として制御するためのもので、第２制御部３０はディスプレイ４、スピーカ５の出力及び外部とのデータ通信等を主として制御するためのものである。第１制御部２０と第２制御部３０はそれぞれＣＰＵ、ＲＡＭ、ＲＯＭ等を備えたコンピュータから成り、制御において必要なデータの交換を相互に行うことができる。なお、第１制御部２０と第２制御部３０は一台のコンピュータで構成してもよいことは言うまでない。
【００５５】
第１制御部２０には、硬貨処理機２１、紙幣識別機２２、搬出駆動部２３、圧縮機駆動部２４、ヒータ駆動部２５、温調設定器２６が接続されている。
【００５６】
硬貨処理機２１と紙幣識別機２２は外扉２内に配置されていて、硬貨処理機２１は硬貨投入口７を通じて投じられた硬貨の真偽識別と計数と貯蔵を行い、投入硬貨の金額に関するデータを第１制御部２０に送出する。紙幣識別器２２は紙幣投入口９を通じて投入された紙幣の真偽識別と貯蔵を行い、投入紙幣の金額に関するデータを第１制御部２０に送出する。
【００５７】
搬出駆動部２３は、商品収納ラック（図示せず）に設けられ、商品を落下搬出するためのベンド機構２７の動作、詳しくはベンド機構２７に用いられるソレノイド等のアクチュエータの動作を制御するためのもので、第１制御部２０からの制御信号に基づいて所定のベンド機構２７を動作させて所期の商品搬出を行う。
【００５８】
圧縮機駆動部２４は、冷凍機を構成する圧縮機２８の動作、詳しくは圧縮機２８を駆動するためのモータの運転を制御するためのもので、第１制御部２０からの制御信号に基づいて所期の圧縮機駆動を行う。
【００５９】
ヒータ駆動部２５は、冷凍機を構成する複数のヒータ２９への通電を制御するためのもので、第１制御部２０からの制御信号に基づいて所期のヒータ２９への通電を行う。
【００６０】
温調設定器２６は、冷却と加温等の複数のモードから何れか１つを選択するためのもので、モード選択用の押しボタンスイッチ等を備え、選択されたモードに関するデータを第１制御部２０に送出する。
【００６１】
第２制御部３０には、ディスプレイ駆動部３１と、音声出力部３２と、ＩＣチップリーダ１０と、モデム３３と、記憶装置３４とが接続されており、ディスプレイ駆動部３１及び音声出力部３２に送出するデータを作成する手段とモデム３３を介して受信するデータを記憶装置３４に書き込む手段を有する。
【００６２】
ディスプレイ駆動部３１は、外扉２に設けられたディスプレイ４の出力を制御するためのもので、第２制御部３０からの画像データ、文字データ及び制御信号に基づいてディスプレイ４を駆動して所期の画像表示を行う。
【００６３】
音声出力部３２は、第２制御部３０からの音声データ及び制御信号に基づいてスピーカ５を駆動して所期の音声出力を行う。
【００６４】
ＩＣチップリーダ１０は、ＩＣチップＡに記憶されたＩＣチップ情報を読取るためのもので、読み取ったＩＣチップ情報を第２制御部３０に送出する。なお、電子マネー機能を搭載したＩＣチップＡに対応して、硬貨処理機２１と紙幣識別機２２に代えて、又は硬貨処理機２１と紙幣識別機２２と共に、金額に関するデータを送出し、金額に関するデータをＩＣチップに書き込むようにしてもよい。その際には、ＩＣチップリーダ１０は、ＩＣチップリーダ／ライタとなる。
【００６５】
モデム３３は、通信回線３５、通信アンテナ３６等を利用して外部のサーバ等との間で有線又は無線によりデータ通信を行うためのもので、第２制御部３０からの制御信号に基づいて外部からデータを受信し、第２制御部３０に送出する。なお、通信回線３５及び通信アンテナ３６はどちらか一方のみでもよい。
【００６６】
記憶装置３４は、商品の情報を含む所定の情報を表示する要素となる複数の部品データ、例えば商品画像データ、背景動画データ、ニュース文字データ、効果音声データ等、を記憶するためのもので、第２制御部３０の制御信号に基づいてモデム３３によって受信したデータを記憶し、又は記憶しているデータを第２制御部３０へ送出する。
【００６７】
次に、図３及び図４を参照して第１実施形態におけるネットワークを介するデータ送受信について説明する。
【００６８】
サーバＳはハードディスク等の大容量記憶装置（図示せず）を有し、複数の部品データを含む自動販売機１に関するデータを記憶しており、複数の部品データを適宜最新データに変更している。
【００６９】
第２制御部３０は、モデム３３に接続する通信回線３５又は通信アンテナ３６によってネットワークＮを介してサーバＳに接続することができ、所定間隔ごとにサーバが記憶する部品データを受信して、記憶装置３４に書き込む。なお、部品データは定期的にサーバＳから受信して記憶装置３４に書き込む場合に限らない。必要に応じてサーバＳから受信して記憶装置３４に書き込まないようにしてもよいし、サーバＳから受信せずに商品補充のときにメモリーカードやＣＤ−ＲＯＭ等の媒体によって記憶装置３４に書き込むようにしてもよい。
【００７０】
ＩＣチップＡに記憶されたＩＣチップ情報には表示構成データが含まれている。表示構成データは複数の部品データの所定の組合せを示すものであり、例えば、複数の部品データを複数の属性に分類し、属性の種類ごとに定めたコードを組み合わせたものである。図４に示すように、商品、ボタン、背景、効果音、ニュース、といった属性に対してそれぞれ選択可能な種類とその種類に対するコードが定められている場合、最初の二桁が商品のコードを表し、次の二桁がボタンのコードを表し、次の二桁が背景のコードを表し、次の二桁が効果音のコードを表し、次の二桁がニュースのコードを表す、といった表示構成データが作成される。なお、表示構成データは複数の部品データを複数の属性に分類する場合に限定されず、部品データそのものにコードを定め、部品データのコードを組み合わせたものであってもよい。
【００７１】
表示構成データは図３に示す端末Ｔを用いて、ネットワークＮを介してサーバＳに接続し、サーバに記憶されている複数の部品データを組み合わせて作成することができる。作成した表示構成データは、端末Ｔが有するＩＣチップライタＴａによってＩＣチップＡに書き込まれる。従って、ＩＣチップ情報に含まれる表示構成データを変更することができる。なお、サーバＳは一台に限らず、性能、機能、通信量、記憶容量等により適宜複数台で構成するようにしてもよい。
【００７２】
次に、図５を参照して図１に示した自動販売機１における商品表示の動作について説明する。
【００７３】
第２制御部３０は、ＩＣチップリーダ１０によって外部のＩＣチップＡに記憶された表示構成データを含むＩＣチップ情報を読取る（Ｓ１１）。読み取った表示構成データをコードごとに解読し（Ｓ１２）、記憶装置３４に記憶する複数の部品データまたはモデム３３を介して受信する複数の部品データの中から、コードに該当する部品データを組み合わせ、出力するデータを作成する（Ｓ１３）。
【００７４】
第２制御部３０は、出力するデータに含まれるデータ種類に応じて、動画、静止画等の画像データや文字データはディスプレイ駆動部３１に、音声データは音声出力部３２に、制御信号とともに送出し、ディスプレイ４及びスピーカ５を駆動して（Ｓ１４）、販売可能な商品を表示するとともに、販売キャンペーン等の広告や新商品ニュース等の所定の情報を表示する（Ｓ１５）。
【００７５】
なお、ＩＣチップ情報に表示構成データ以外のデータ、例えば商品購入履歴や駅乗降履歴、ＩＣチップが搭載されたカードの発行会社、ポイント数等、を含めるようにしておき、Ｓ１３において、これらの購入者の無意識な嗜好を反映したデータも考慮して、複数の部品データを組み合わせるようにしてもよい。
【００７６】
このように、上記構成及び動作の自動販売機によれば、外部のＩＣチップＡのＩＣチップ情報を読取り、ＩＣチップ情報含まれる表示構成データに基づいて複数の部品データを組み合わせることにより、表示構成データごとに販売可能な商品に関する情報の表示を変えることができ、ＩＣチップを所有する購入者のそれぞれの嗜好にあわせて、購入意欲を高め、広告効果の高い情報を表示することが可能となる。
【００７７】
また、ネットワークＮを介してサーバが記憶する複数の部品データを所定間隔ごとに又は必要に応じて受信し、ＩＣチップ情報に含まれる表示構成データを変更することにより、サーバが記憶する最新の部品データに基づくタイムリーな情報を表示することができるとともに、変更した表示構成データごとに販売可能な商品に関する情報の表示を変えることができ、購入者のそれぞれの嗜好の変化を反映させた表示をすることが可能となる。
【００７８】
さらに、表示構成データのみならずＩＣチップ情報に含まれる表示構成データ以外のデータに基づいて複数の部品データを組み合わせることにより、ＩＣチップ情報ごとに販売可能な商品に関する情報の表示を変えることができ、購入者のそれぞれの無意識な嗜好を反映させた表示をすることが可能となる。
【００７９】
次に、本発明の第２実施形態を説明する。
【００８０】
図６は本発明の第２実施形態におけるネットワークを介するデータ送受信を示す機能ブロック図、図７は本発明の第２実施形態における自動販売機の商品表示の流れを示すフローチャートである。前述した第１実施形態と同一構成部分は同一符号をもって表しその説明を省略する。
【００８１】
第２実施形態と第１実施形態との相違点は、第２実施形態ではＩＣチップ情報にＩＣチップＩＤやＩＣチップ番号といったＩＣチップＡごとに一意となるＩＣチップ識別データが含まれており、サーバＳがＩＣチップ識別データごとに表示構成データを記憶していることである。なお、サーバＳは複数の部品データを記憶せず、記憶装置３４にのみ複数の部品データを記憶していてもよい。
【００８２】
第２制御部３０は、第１実施形態と同様に、ネットワークＮを介してサーバＳに接続し、所定間隔ごとにサーバが記憶する表示構成データを受信して、記憶装置３４に書き込む。なお、サーバから受信する所定間隔は複数の部品データの所定間隔と異なっていても同じであってもよい。また、表示構成データは定期的にサーバＳから受信して記憶装置３４に書き込む場合に限らないのは、第１実施形態における複数の部品データの場合と同様である。
【００８３】
購入者は図６に示す端末Ｔを用いて、ネットワークＮを介してサーバＳに接続し表示構成データを作成し、作成した表示構成データは、端末Ｔが有するＩＣチップリーダＴｂによって読み取られたＩＣチップ識別データとともに、サーバＳの大容量記憶装置（図示せず）に書き込まれる。
【００８４】
商品表示の動作において、図７に示すように、第２制御部３０は、ＩＣチップリーダ１０によって外部のＩＣチップＡに記憶されたＩＣチップ識別データを含むＩＣチップ情報を読取る（Ｓ２１）。記憶装置３４に記憶する表示構成データまたはモデム３３を介して受信する表示構成データの中から、読み取ったＩＣチップ識別データに対応する表示構成データを取得する（Ｓ２２）。以降のＳ２３〜Ｓ２６の動作は第１実施形態のＳ１２〜Ｓ１５と同様である。
【００８５】
このように、上記構成及び動作の自動販売機によれば、外部のＩＣチップＡのＩＣチップ識別情報に表示構成データを含まない場合においても、ＩＣチップ識別データを含むＩＣチップ情報を読取ることにより、第１実施形態と同様の効果を得ることができる。
【００８６】
なお、本発明の構成及び動作は、上述の実施形態にのみ限定されるものではなく、本発明の要旨を逸脱しない範囲内において種々変更を加えてもよい。
【図面の簡単な説明】
【００８７】
【図１】本発明の第１実施形態における自動販売機の正面図
【図２】１に示した自動販売機の制御系構成を示すブロック図
【図３】本発明の第１実施形態におけるネットワークを介するデータ送受信を示す機能ブロック図
【図４】本発明の第１実施形態における表示構成データを説明する図
【図５】図１に示した自動販売機の商品表示の流れを示すフローチャート
【図６】本発明の第２実施形態におけるネットワークを介するデータ送受信を示す機能ブロック図
【図７】本発明の第２実施形態における自動販売機の商品表示の流れを示すフローチャート
【符号の説明】
【００８８】
１…自動販売機、２…外扉、３…化粧パネル、３ａ…広告部、３ｂ…窓穴、４…ディスプレイ、５…スピーカ、６…ロック操作レバー、７…硬貨投入口、８…返却レバー、９…紙幣投入口、１０…ＩＣチップリーダ、１１…紙幣投入口、１２…商品取出口、１３…フラップドア、２０…第１制御部、２１…硬貨処理機、２２…紙幣識別機、２３…搬出駆動部、２４…圧縮機駆動部、２５…ヒータ駆動部、２６…温調設定器、２７…ベンド機構、２８…圧縮機、２９…ヒータ、３０…第２制御部、３１…ディスプレイ駆動部、３２…音声出力部、３３…モデム、３４…記憶装置、３５…通信回線、３６…通信アンテナ、Ａ…ＩＣチップ、Ｎ…ネットワーク、Ｓ…サーバ、Ｔ…端末、Ｔａ…ＩＣチップライタ、Ｔｂ…ＩＣチップリーダ
【図１】
2006065564.tif 000003
【図２】
2006065564.tif 000004
【図３】
2006065564.tif 000005
【図４】
2006065564.tif 000006
【図５】
2006065564.tif 000007
【図６】
2006065564.tif 000008
【図７】
2006065564.tif 000009